(57)【要約】【課題】取扱及び移動が容易な折畳式ゴミステーション用枠装置を提供する。【解決手段】第１コ字状枠体と、第１コ字状枠体の縦枠と、側面視略Ｘ字状に交差する縦枠を有する第２コ字状枠体と、第１コ字状枠体と第２コ字状枠体とを連結する連結部であって、交差箇所を通過して横枠に平行な軸である第１軸周りに回動自在に連結する第１枢支連結部と、横枠を第２コ字状枠体の横枠と略平行にし、第２コ字状枠体の横枠近傍を前記コ字状枠体の対向する縦枠の間に嵌入させた態様で配置される第３コ字状枠体と、第３コ字状枠体と第２コ字状枠体とを連結する連結部であって、第３コ字状枠体の縦枠と前記第２コ字状枠体の縦枠とが交差する交差箇所に配置され、交差箇所を通過して横枠に平行な軸である第２軸周りに回動自在に連結する第２枢支連結部と、第３コ字状枠体と第１コ字状枠体とを回動可能に連結させる連結機構とを備える。【選択図】図１
2017186157.tif 000002
【特許請求の範囲】
【請求項１】
路上等に設置され、ゴミ袋を収容する折畳式ゴミステーション用の枠装置において、
略コ字状に形成される第１コ字状枠体と、
前記第１コ字状枠体の横枠よりやや短い横枠を有するコ字状枠体であり、前記横枠どうしを略平行にしつつ前記第１コ字状枠体の対向する縦枠の間に前記コ字状枠体を嵌入させ、しかも、前記第１コ字状枠体の縦枠と前記コ字状枠体の縦枠とが側面視略Ｘ字状に交差する態様で配置される第２コ字状枠体と、
前記第１コ字状枠体と前記第２コ字状枠体とを連結する連結部であって、前記交差する交差箇所に配置され、前記交差箇所を通過して前記横枠に平行な軸である第１軸周りに回動自在に連結する第１枢支連結部と、
前記第１コ字状枠体と略同じ長さの横枠を有するコ字状枠体であり、その横枠を前記第２コ字状枠体の横枠と略平行にし、前記第２コ字状枠体の横枠近傍を前記コ字状枠体の対向する縦枠の間に嵌入させて配置される第３コ字状枠体と、
前記第３コ字状枠体と前記第２コ字状枠体とを連結する連結部であって、前記第３コ字状枠体の縦枠と前記第２コ字状枠体の縦枠とが交差する交差箇所に配置され、前記交差箇所を通過して前記横枠に平行な軸である第２軸周りに回動自在に連結する第２枢支連結部と、
前記第３コ字状枠体と前記第１コ字状枠体とを連結させる連結機構とを備え、
前記連結機構は、
前記第１枢支連結部より下方の、前記第１コ字状枠体の縦枠に沿って移動自在に取り付けられる移動部材と、
一端を前記移動部材に取り付けられ、他端を前記第３コ字状枠体の縦枠の下端近傍に取り付けられ、前記移動部材と前記下端近傍とを連結する連結部であり、前記一端と前記他端の中途で折曲可能な折曲連結部とを含み、
前記第１コ字状枠体と前記第２コ字状枠体とが略重なる折畳姿勢及び前記側面視略Ｘ字状で自立する自立姿勢となることを特徴とする折畳式ゴミステーション用枠装置。
【請求項２】
前記折曲連結部は、前記横枠に平行な軸である第３軸を有し、前記第３軸周りに前記第３コ字状枠体の縦枠が回動可能な連結軸部材を含むことを特徴とする請求項１記載の折畳式ゴミステーション用枠装置。
【請求項３】
前記第１コ字状枠体と前記第２コ字状枠体の上端近傍どうしを連結するとともに、前記第１軸周りの回動を規制する回動規制部材を備えることを特徴とする請求項１又は２記載の折畳式ゴミステーション用枠装置。
【請求項４】
前記移動部材は、前記第１コ字状枠体の縦枠に遊挿されて前記縦枠に沿って摺動自在の筒状部材を含むことを特徴とする請求項１〜３のいずれかに記載の折畳式ゴミステーション用枠装置。
【請求項５】
前記自立姿勢の際に、前記第１コ字状枠体の前記横枠及び／又は前記第２コ字状枠体の横枠の下方に吊支される横棒部材と、前記横棒部材が、前記第１コ字状枠体の前記横枠の下方に吊支される場合、前記横棒部材を前記第２コ字状枠体の縦枠に係留し、前記横棒部材が、前記第２コ字状枠体の前記横枠の下方に吊支される場合、前記横棒部材を前記第１コ字状枠の縦枠に係留する係留部材を備えることを特徴とする請求項１〜４のいずれかに記載の折畳式ゴミステーション用枠装置。
【請求項６】
請求項１〜５のいずれかに記載の折畳式ゴミステーション用枠装置に、
前記自立姿勢の前記第１コ字状枠体及び第２コ字状枠体の側部を覆う裾ネットと、
前記第３コ字状枠体に取り付けられ、前記第３コ字状枠体の前記横枠から下方で、前記第２コ字状枠体の横枠から略上方を覆う背面ネットと、
前記第３コ字状枠体の横枠に取り付けられ、前記自立姿勢の前記第１コ字状枠体及び前記第２コ字状枠体の上方空間を開閉自在に覆う開閉ネットと、
を設けてなる折畳式ゴミステーション。
【発明の詳細な説明】
【技術分野】
【０００１】
本発明は、例えば路上等の一角に設置されて家庭から持ち出されるゴミ袋を収容するゴミステーションに関し、使用しない場合等には折畳んだ状態とすることが可能な折畳式ゴミステーション用枠装置及びこの枠装置を用いた折畳式ゴミステーションに関する。
【背景技術】
【０００２】
従来、家庭から出る生ゴミ等を収納したゴミ袋は、例えばフェンス、石垣或いは壁沿い等の所定の路上に一時載置されて、ゴミ回収業者によって回収される。ところが、生ゴミ等には、残飯等のカラスや猫等の餌となるものが含まれているため、単に載置しただけではこれらの動物に食い散らされてしまい、周囲に飛散するばかりでなくゴミ回収の作業の妨げや、不衛生となるという問題があった。
【０００３】
そこで多くの市街地では、上述の様に載置されたゴミ袋の群全体を、例えば魚網の様なネットによって覆うことで、鳥獣によって食い荒らされる事を防止する手段が、採用されている。しかし、上述した手段によれば、例えばネットの端が捲れたままになり、そこからゴミ袋がはみ出す等、鳥獣による食い荒らしを防止するには不十分となる虞があった。また、ゴミ袋をネットの下に載置する際に腰を屈めてネットの端を持上る必要がある等ゴミ袋を載置する動作が煩雑になり、特に高齢者にとって負担になるという問題があった。また、ゴミ袋の回収後に、ネットが広がった状態で路上に放置されると市街地の景観を損なう虞があるという問題があった。
【０００４】
このような問題に対し、鳥獣による食い荒らしを防止するととともに、例えば人の腰の高さ程度にゴミ袋の投入口を配置可能で、使用しない場合は折畳んだ状態としておくことが可能なゴミステーションに関し、本願の発明者も提案を行っている（例えば特許文献１）。
【先行技術文献】
【特許文献】
【０００５】
【特許文献１】特開２０１４−１２５２９６号公報
【発明の概要】
【発明が解決しようとする課題】
【０００６】
特許文献１によれば、路上等の設置面に立設させる略逆Ｕ字状又は略矩形状の立設枠体を備え、ゴミ袋を収容するゴミステーションであって、前記立設枠体に張設され、前記立設枠体の枠内を覆う背面ネットと、前記立設枠体の高さ方向の中間位置に枢支連結される略Ｕ字状又は略矩形状の枠体であり、前記立設枠体に略重なる折畳姿勢と前記立設枠体から前方に略水平に突出する突出姿勢とに回動自在の回動枠体と、前記回動枠体より上方の前記立設枠体に取付けられ、前記回動枠体の前記突出姿勢を保持する保持部材と、前記回動枠体に取付けられ、前記立設枠体の前方でしかも前記突出姿勢の前記回動枠体の下方を覆う壁ネットと、前記立設枠体の上側横枠に取付けられ、前記突出姿勢の前記回動枠体の上方空間を開閉自在に覆う開閉ネットと、前記回動枠体の前枠に吊支され、前記突出姿勢の際に前記前枠と前記設置面との中間に配置される横棒部材と、前記立設枠体に取付けられ、前記横棒部材を前記立設枠体に係留する係留部材とを備える折畳式ゴミステーションが開示されている。
【０００７】
特許文献１の折畳式ゴミステーションによれば、回動枠体を突出姿勢とした場合に、折畳式ゴミステーションの重心が移動するため、自立させることが困難になるという問題がある。そのため、特許文献１の折畳式ゴミステーションを設置する際、例えば回動枠体を突出姿勢とした状態であっても立設枠体が倒れない程度の重量のある土台部を準備し、立設枠体の縦枠の下端をその土台部に挿入させた状態で立設枠体を支持させる必要がある。
【０００８】
そのため、例えば特許文献１の折畳式ゴミステーションの設置場所を清掃する際等に、土台部を動かす必要が生じる。また例えば、特許文献１の折畳式ゴミステーションを他の場所に移動させる際には、折畳式ゴミステーションに加え土台部も移動させる必要がある。このように、設置場所の清掃や折畳式ゴミステーションの移動時に土台部の重量で、移動清掃や移動が困難になるという問題があった。
【０００９】
特に、このようなゴミステーションが設置されるのは、一般家庭の近隣であり、そのゴミステーションの設置場所の管理は、例えば町内会等の自治会組織に輪番制でまかされることが殆どである。近年の高齢化の波で、住人も高齢化が進んでいることもあり、自治会からも軽量で取扱が容易な折畳式ゴミステーションに対するニーズが高まっている。そのため、本願発明者は、特許文献１の折畳式ゴミステーションを鋭意研究し、その改良を行った。
【００１０】
そこで本発明は、上記従来の問題に鑑みてなされたものであり、その目的は、取扱及び移動が容易な折畳式ゴミステーション用枠装置及びその枠装置を用いた折畳式ゴミステーションを提供することにある。
【課題を解決するための手段】
【００１１】
請求項１の発明は、路上等に設置され、ゴミ袋を収容する折畳式ゴミステーション用の枠装置において、略コ字状に形成される第１コ字状枠体と、前記第１コ字状枠体の横枠よりやや短い横枠を有するコ字状枠体であり、前記横枠どうしを略平行にしつつ前記第１コ字状枠体の対向する縦枠の間に前記コ字状枠体を嵌入させ、しかも、前記第１コ字状枠体の縦枠と前記コ字状枠体の縦枠とが側面視略Ｘ字状に交差する態様で配置される第２コ字状枠体と、前記第１コ字状枠体と前記第２コ字状枠体とを連結する連結部であって、前記交差する交差箇所に配置され、前記交差箇所を通過して前記横枠に平行な軸である第１軸周りに回動自在に連結する第１枢支連結部と、前記第１コ字状枠体と略同じ長さの横枠を有するコ字状枠体であり、その横枠を前記第２コ字状枠体の横枠と略平行にし、前記第２コ字状枠体の横枠近傍を前記コ字状枠体の対向する縦枠の間に嵌入させて配置される第３コ字状枠体と、前記第３コ字状枠体と前記第２コ字状枠体とを連結する連結部であって、前記第３コ字状枠体の縦枠と前記第２コ字状枠体の縦枠とが交差する交差箇所に配置され、前記交差箇所を通過して前記横枠に平行な軸である第２軸周りに回動自在に連結する第２枢支連結部と、前記第３コ字状枠体と前記第１コ字状枠体とを連結させる連結機構とを備え、前記連結機構は、前記第１枢支連結部より下方の、前記第１コ字状枠体の縦枠に沿って移動自在に取り付けられる移動部材と、一端を前記移動部材に取り付けられ、他端を前記第３コ字状枠体の縦枠の下端近傍に取り付けられ、前記移動部材と前記下端近傍とを連結する連結部であり、前記一端と前記他端の中途で折曲可能な折曲連結部とを含み、前記第１コ字状枠体と前記第２コ字状枠体とが略重なる折畳姿勢及び前記側面視略Ｘ字状で自立する自立姿勢となる、折畳式ゴミステーション用枠装置である。
【００１２】
請求項２の発明は、請求項１記載の折畳式ゴミステーション用枠装置において、前記折曲連結部は、前記横枠に平行な軸である第３軸を有し、前記第３軸周りに前記第３コ字状枠体の縦枠が回動可能な連結軸部材を含むことを特徴とする。
【００１３】
請求項３の発明は、請求項１又は２記載の折畳式ゴミステーション用枠装置において、前記第１コ字状枠体と前記第２コ字状枠体の上端近傍どうしを連結するとともに、前記第１軸周りの回動を規制する回動規制部材を備えることを特徴とする。
【００１４】
請求項４の発明は、請求項１〜３のいずれかに記載の折畳式ゴミステーション用枠装置において、前記移動部材は、前記第１コ字状枠体の縦枠に遊挿されて前記縦枠に沿って摺動自在の環状部材を含むことを特徴とする。
【００１５】
請求項５の発明は、請求項１〜４のいずれかに記載の折畳式ゴミステーション用枠装置において、前記自立姿勢の際に、前記第１コ字状枠体の前記横枠及び／又は前記第２コ字状枠体の横枠の下方に吊支される横棒部材と、前記横棒部材が、前記第１コ字状枠体の前記横枠の下方に吊支される場合、前記横棒部材を前記第２コ字状枠体の縦枠に係留し、前記横棒部材が、前記第２コ字状枠体の前記横枠の下方に吊支される場合、前記横棒部材を前記第１コ字状枠の縦枠に係留する係留部材を備えることを特徴とする。
【００１６】
請求項６の発明は、請求項１〜５のいずれかに記載の折畳式ゴミステーション用枠装置に、前記自立姿勢の前記第１コ字状枠体及び第２コ字状枠体の側部を覆う裾ネットと、
前記第３コ字状枠体に取り付けられ、前記第３コ字状枠体の前記横枠から下方で、前記第２コ字状枠体の横枠から略上方を覆う背面ネットと、
前記第３コ字状枠体の横枠に取り付けられ、前記自立姿勢の前記第１コ字状枠体及び前記第２コ字状枠体の上方空間を開閉自在に覆う開閉ネットと、
を設けてなる折畳式ゴミステーションである。
【発明の効果】
【００１７】
本発明によれば、路上等に設置され、ゴミ袋を収容する折畳式ゴミステーション用の枠装置において、略コ字状に形成される第１コ字状枠体と、前記第１コ字状枠体の横枠よりやや短い横枠を有するコ字状枠体であり、前記横枠どうしを略平行にしつつ前記第１コ字状枠体の対向する縦枠の間に前記コ字状枠体を嵌入させ、しかも、前記第１コ字状枠体の縦枠と前記コ字状枠体の縦枠とが側面視略Ｘ字状に交差する態様で配置される第２コ字状枠体と、前記第１コ字状枠体と前記第２コ字状枠体とを連結する連結部であって、前記交差する交差箇所に配置され、前記交差箇所を通過して前記横枠に平行な軸である第１軸周りに回動自在に連結する第１枢支連結部と、前記第１コ字状枠体と略同じ長さの横枠を有するコ字状枠体であり、その横枠を前記第２コ字状枠体の横枠と略平行にし、前記第２コ字状枠体の横枠近傍を前記コ字状枠体の対向する縦枠の間に嵌入させて配置される第３コ字状枠体と、前記第３コ字状枠体と前記第２コ字状枠体とを連結する連結部であって、前記第３コ字状枠体の縦枠と前記第２コ字状枠体の縦枠とが交差する交差箇所に配置され、前記交差箇所を通過して前記横枠に平行な軸である第２軸周りに回動自在に連結する第２枢支連結部と、前記第３コ字状枠体と前記第１コ字状枠体とを連結させる連結機構とを備え、前記連結機構は、前記第１枢支連結部より下方の、前記第１コ字状枠体の縦枠に沿って移動自在に取り付けられる移動部材と、一端を前記移動部材に取り付けられ、他端を前記第３コ字状枠体の縦枠の下端近傍に取り付けられ、前記移動部材と前記下端近傍とを連結する連結部であり、前記一端と前記他端の中途で折曲可能な折曲連結部とを含み、前記第１コ字状枠体と前記第２コ字状枠体とが略重なる折畳姿勢及び前記側面視略Ｘ字状で自立する自立姿勢となる構成であるから、例えば、第３コ字状枠体の横枠と第１コ字状枠体の横枠とを、左右の手でそれぞれ握り、これらを横枠と左右方向に離隔させるという簡単な操作で自立姿勢とさせることができる。一方、自立姿勢から、上述した横枠と横枠どうし左右方向に近づけるという簡単な操作で折畳姿勢とすることができるので、設置場所の清掃時等の片づけが容易な折畳式ゴミステーション用枠装置を提供できる。また、重量のある土台等を必要もなく自立できるので、移動の際も土台を移動させる必要もなく、容易に持運びできる。この様に、本発明によれば、取扱及び移動が容易な折畳式ゴミステーション用枠装置を提供できる。
【００１８】
前記折曲連結部は、前記横枠に平行な軸である第３軸を有し、前記第３軸周りに前記第３コ字状枠体の縦枠が回動可能な連結軸部材を含む構成であるから、第３コ字状枠体の縦枠と第１コ字状枠体の縦枠のなす角度を容易に変えることができるので、取扱が更に容易な折畳式ゴミステーション用枠装置を提供できる。
【００１９】
前記第１コ字状枠体と前記第２コ字状枠体の上端近傍どうしを連結するとともに、前記第１軸周りの回動を規制する回動規制部材を備える構成であるから、例えば前記第１コ字状枠体と第２コ字状枠体とを側面視Ｘ字状にして自立させた後に、これらのコ字状枠体の横枠どうしを離そうとする第１軸周りの回転力が働いた場合であっても、回動規制部材でその回転を規制して、自立姿勢を維持できるので、安定的に自立可能となり、取扱が更に容易な折畳式ゴミステーション用枠装置を提供できる。
【００２０】
また、前記移動部材は、前記第１コ字状枠体の縦枠に遊挿されて前記縦枠に沿って摺動自在の環状部材を含む構成であるから、連結機構を簡単な部材で形成できるので、低コストの折畳式ゴミステーション用枠装置を提供できる。
【００２１】
また、前記自立姿勢の際に、前記第１コ字状枠体の前記横枠及び／又は前記第２コ字状枠体の横枠の下方に吊支される横棒部材と、前記横棒部材が、前記第１コ字状枠体の前記横枠の下方に吊支される場合、前記横棒部材を前記第２コ字状枠体の縦枠に係留し、前記横棒部材が、前記第２コ字状枠体の前記横枠の下方に吊支される場合、前記横棒部材を前記第１コ字状枠の縦枠に係留する係留部材を備える構成であるから、例えば、自立姿勢の際の横棒部材の位置が、例えば横枠と設置面との略中央近傍になるよう吊支すると、複数のゴミ袋で自立枠部内が満杯になった際等に、その下側に位置するゴミ袋が外方へ押し出されることを、横棒部材によって防止できるので、下端からゴミ袋がはみ出し難く、鳥獣によるゴミ袋の食い荒らし防止に好適な折畳式ゴミステーション用枠装置を提供できる
【００２２】
また、本発明の折畳式ゴミステーションよれば、上述した折畳式ゴミステーション用枠装置に、前記自立姿勢の前記第１及び第２コ字状枠体の側部を覆う裾ネットと、前記第３コ字状枠前記自立姿勢の前記第１コ字状枠体及び第２コ字状枠体の側部を覆う裾ネットと、前記第３コ字状枠体に取り付けられ、前記第３コ字状枠体の前記横枠から下方で、前記第２コ字状枠体の横枠から略上方を覆う背面ネットと、前記第３コ字状枠体の横枠に取り付けられ、前記自立姿勢の前記第１コ字状枠体及び前記第２コ字状枠体の上方空間を開閉自在に覆う開閉ネットと、を設けてなる構成であるから、例えば、第３コ字状枠体の横枠と第１コ字状枠体の横枠とを、左右の手でそれぞれ握り、これらを横枠と左右方向に離隔させるという簡単な操作で自立姿勢とさせることができる。一方、自立姿勢から、上述した横枠と横枠どうしを左右方向に近づけるという簡単な操作で折畳姿勢とすることができるので、設置場所の清掃時等の片づけが容易な折畳式ゴミステーションを提供できる。また、重量のある土台等を必要もなく自立できるので、移動の際も土台を移動させる必要もなく、容易に持運びできる。この様に、本発明によれば、取扱及び移動が容易な折畳式ゴミステーションを提供できる。
【図面の簡単な説明】
【００２３】
【図１】本発明の実施形態に係る折畳式ゴミステーション用枠装置を説明する斜視図である。
【図２】本発明の実施形態に係る折畳式ゴミステーション用枠装置の自立姿勢を説明する左側面図である。
【図３】本発明の実施形態に係る折畳式ゴミステーション用枠装置の折畳姿勢を説明する左側面図である。
【図４】図２のＡ−Ａ矢視図である。
【図５】本発明の実施形態に係る折畳式ゴミステーションのネットを説明する斜視図である。
【図６】本発明の実施形態に係る折畳式ゴミステーションを説明する斜視図である。
【図７】本発明の実施形態に係る折畳式ゴミステーションを説明する斜視図である。
【発明を実施するための形態】
【００２４】
本発明の好適な実施形態の例について、図を用いて説明する。
本実施形態の折畳式ゴミステーション用枠装置１０は、一般家庭から排出されるゴミ袋を収容するゴミステーションであって、折畳むことが可能な折畳式ゴミステーション用の枠装置である。そして、本実施形態の折畳式ゴミステーション１００は、図１及び図６、図７に示す様に、折畳式ゴミステーション用枠装置１０に、後述するネットを取り付けて形成され、例えば道路上等の設置面Ｌに設置されて用いられる。
【００２５】
本実施形態の折畳式ゴミステーション用枠装置１０は、図１〜図４に示すように、例えば略同様なサイズの第１〜第３コ字状枠体３２，３４，３８を連結して形成され、第１枢支連結部３７ｂ，３７ｃ、第２枢支連結部５１ｂ，５１ｃ、連結機構１６ａ，１６ｂ，回動規制部材１８ａ，１８ｂ、横棒部材２０，２４、係留部材２２ａ，２２ｂ，２６ａ，２６ｂ等を備える。
【００２６】
まず、第１〜第３コ字状枠体３２，３４，３８は、図１〜図３に示す様に、それぞれが、例えば手で把持できる程度の直径を有する一本のアルミニウム製円筒杆の両端側を、それぞれ略９０度に折曲して形成される。そして、第１〜第３コ字状枠体３２，３４，３８は、図１〜図３に示す様に、横枠３２ａ，３４ａ，３８ａ及びその両端の縦枠３２ｂ，３２ｃ，３４ｂ，３４ｃ，３８ｂ，３８ｃとで、それぞれ略コ字状に形成される。
【００２７】
横枠３２ａ，３４ａ，３８ａの長さは、例えば設置される場所の広さに応じた長さで形成されればよい。より詳しくは、第１及び第２コ字状枠体３２，３４の横枠３２ａ，３４ａは、略同じ長さで形成され、第２コ字状枠体３４の横枠３４ａの長さは、その横枠３２ａ，３８ａの長さよりやや短く、例えば上述した円筒杆の直径の略２倍短く形成される。
また、縦枠３２ｂ，３２ｃ，３４ｂ，３４ｃ，３８ｂ，３８ｃの長さは、図２及び図３に示す様に、例えば地面から人の腰の位置までよりやや長く形成される。
【００２８】
以上の様に形成される第１及び第２コ字状枠体３２，３４は、図１〜図３に示す様に、例えば横枠３２ａ，３４ａどうしを略平行にしつつ、第１コ字状枠体３２の対向する縦枠３２ｂ，３２ｃの間に第２コ字状枠体３４が嵌入される態様で配置される。しかも、第１及び第２コ字状枠体３２，３４は、図１〜図３に示す様に、縦枠３４ｂ，３４ｃと縦枠３２ｂ，３２ｃとをその中央近傍でそれぞれ交差させて配置される。言い換えると、第１及び第２コ字状枠体３２，３４は、図２に示す様に、第１コ字状枠体３２の縦枠３２ｂ，３２ｃと第２コ字状枠体の縦枠３４ｂ、３４ｃとが側面視略Ｘ字状に交差する態様で配置される。
【００２９】
次に、第３コ字状枠体３８は、図１〜図３に示す様に、横枠３８ａと、第２コ字状枠体３４の横枠３４ａとを略平行にし、第３コ字状枠体３８の対向する縦枠３８ｂ，３８ｃの間に、しかも、縦枠３８ｂ，３８ｃの中央近傍の内側に、第２コ字状枠体３４の横枠３４ａ近傍を嵌入させる態様で配置される。言い換えると、第３コ字状枠体３８は、図１〜図３に示す様に、第２コ字状枠体３４の頭部近傍を第３コ字状枠体３８の縦枠３８ｂ，３８ｃの中央近傍で挟む態様で配置される。
【００３０】
このように、第１〜第３コ字状枠体３２，３４，３８の横枠３２ａ，３４ａ，３８ａは互いに略平行に配置される。
なお、第１〜第３コ字状枠体３２，３４，３８の断面を円形として説明したが、手で把持しやすい形状であれば、例えば楕円状であっても良い。
また、第１〜第３コ字状枠体３２，３４，３８は、アルミニウム製に限らず、鉄、ステンレス等の金属で形成されても良い。
【００３１】
次に、第１枢支連結部３７ｂ，３７ｃは、図１〜図３に示す様に、例えばボルト等の軸部材３５と、ボルト等に螺合するナット部材を含む。
軸部材３５は、図１に示す様に、その軸である第１軸３６の方向を横枠３２ａに平行にした状態で、上述した縦枠３２ｂと縦枠３４ｂとが交差する交差箇所４１ｂ及び縦枠３２ｃと縦枠３４ｃとが交差する交差箇所４１ｃにそれぞれ配置される。そして、軸部材３５は、図２に示す様に、縦枠３２ｂ，３２ｃと縦枠３４ｂ，３４ｃとを、第１軸３６周りに回動自在にそれぞれ連結する。
このように、第１枢支連結部３７ｂ，３７ｃは、第１コ字状枠体３２と第２コ字状枠体３４とを連結する連結部であって、交差箇所４１ｂ，４１ｃに配置され、交差箇所４１ｂ，４１ｃを通過して横枠３２ａに平行な軸である、第１軸３６周りに回動自在に連結する構成となっているのである。
【００３２】
従って、図１〜図３に示す様に、第１及び第２コ字状枠体３２，３４を第１軸３６周りに回転させることで、第１及び第２コ字状枠体３２，３４どうしが略重なる折畳姿勢とすることができる。また、第１及び第２コ字状枠体３２，３４を第１軸３６周りに回転させることで、側面視略Ｘ字状の自立姿勢となり、縦枠３２ｂ，３２ｃ，３４ｂ，３４ｃの下端で設置面Ｌに自立する自立することができる。
なお、図１〜図３において、符号３０は、折畳姿勢となった際に、第１及び第２コ字状枠体３２，３４の横枠３２ａ，３４ａどうしを係止する係止部材を示す。
【００３３】
次に、第２枢支連結部５１ｂ，５１ｃは、図１〜図３に示す様に、例えばボルト等の軸部材４４と、ボルト等に螺合するナット部材を含む。
そして、軸部材４４は、図１に示す様に、その軸である第２軸３９の方向を横枠３４ａに平行にした状態で、上述した縦枠３８ｂと縦枠３４ｂとが交差する交差箇所４７ｂ及び縦枠３８ｃと縦枠３４ｃとが交差する交差箇所４７ｃにそれぞれ配置され、縦枠３８ｂ，３８ｃと縦枠３４ｂ，３４ｃとを、第２軸３９周りに回動自在にそれぞれ連結する。
このように、第２枢支連結部５１ｂ，５１ｃは、第３コ字状枠体３８と第２コ字状枠体３４とを連結する連結部であって、交差箇所４７ｂ，４７ｃに配置され、交差箇所４７ｂ，４７ｃを通過して横枠３４ａに平行な軸である第２軸３９周りに回動自在に連結する構成となっているのである。
【００３４】
次に、連結機構１６ａ，１６ｂは、図２〜図４に示す様に、移動部材４０と、折曲連結部２３とを備え、第３コ字状枠体３８と第１コ字状枠体３２とを連結する。
移動部材４０は、図２〜図４に示す様に、例えば縦枠３２ｃに遊挿されて縦枠３２ｃに沿って摺動自在の筒状部材５６としての円筒状部材で形成される。そして、移動部材４０は、図２〜図４に示す様に、第１コ字状枠体３２の縦枠３２ｂ，３２ｃの交差箇所４１ｂ，４１ｃの下方に取り付けられる。
このように、移動部材４０は、第１枢支連結部３７ｂ，３７ｃより下方の、第１コ字状枠体３２の縦枠３２ｂ，３２ｃに取り付けられ、縦枠３２ｂ，３２ｃに沿って移動自在な構成となっているのである。
筒状部材は、コ字状枠体の断面形状に応じた筒形状で形成すると良い。
【００３５】
次に、折曲連結部２３は、図２〜図４に示す様に、第１突出部４３と、連結軸部材４６と、第２突出部４５とを備える。
本実施形態の第１突出部４３は、図２〜図４に示す様に、移動部材４０と一体に形成され、横枠３２ａに略直交する背側方向に、しかも横枠３２ａから例えば第２コ字状枠体３２の略直径の長さで突出する短冊状の突出片で形成される。
次に、第２突出部４５は、図２〜図４に示す様に、縦枠３８ｃの下端部から横材３８ａに略直交する前側方向に、しかも第３コ字状枠体３８の略直径の長さで突出する短冊状の突出片で形成される。より詳しくは、図２〜図４に示すように、縦枠３８ｃの下端の外周面に、円筒部材５５が周設され、ネジ（図示しない）等で固定されている。そして、前記突出片は、円筒部材５５と一体に形成され、横枠３８ａに略直交する前側方向に突出して形成される。
そして、第１突出部４３と第２突出部４５とは、図２〜図４に示す様に、後述する軸（４９）方向に略重なる態様で配置される。
【００３６】
次に、本実施形態の連結軸部材４６は、図２〜図４に示すように、ボルト部材で形成され、第１突出部４３と、第２突出部４５とを枢支連結する。
より詳しくは、連結軸部材４６は、図２〜図４に示す様に、その軸である第３軸４９の方向を横枠３２ａと平行にした状態で、第１突出部４３と第２突出部４５とを貫通し、ナット部材と螺合して、第１突出部４３と第２突出部４５とを連結する。従って、第１突出部４３と、第２突出部４５とは第３軸４９周りに、すなわち第３軸４９を中心に横枠３２ａ，３４ａと略直交する方向に回動可能に枢支連結される。
【００３７】
この様に、折曲連結部２３は、一端を移動部材４０に取り付けられ、他端を縦枠３８ｃの下端近傍に取り付けら、移動部材４０と縦枠３８ｃの下端近傍（５５）とを連結する短冊状或いは帯状の連結部であり、前記一端と前記他端の中途で、横枠３２ａ，３４ａと略直交する方向に折曲可能な構成となっているのである。
また、折曲連結部２３は、横枠３２ａに平行な軸である第３軸４９を有し、第３軸４９周りに第３コ字状枠体の縦枠３８ｂ，３８ｃが回動可能な連結軸部材４６を含む構成となっているのである。
なお、折曲連結部２３は、本実施形態の構成に限るものではなく、例えば短冊状或いは帯状のゴム部材等の弾性体で形成され、一端を移動部材４０に取り付けられ、他端を縦枠３８ｃの下端に取り付けられる構成であっても良い。
【００３８】
次に、回動規制部材１８ｂ，１８ａは、図１及び図２に示す様に、例えば縦枠３２ｃの長さの略半分の長さの鎖部材でそれぞれ形成される。そして、回動規制部材１８ｂは、図１〜図３に示すように、一端を第１コ字状枠体３２の縦枠３２ｃの上端近傍に連結され、他端を第２コ字状枠体３４の縦枠３４ｃの上端近傍に連結される。
従って、例えば図３に示す、第１及び第２コ字状枠体３２，３４が略重なりあった状態から、上述した第１軸３６回りに第１コ字状枠体３２を回転させた場合、略４分の１周回転したところので、回動規制部材１８ｂによってその回転が規制される。
このように、本実施形態の折畳式ゴミステーション用枠装置１０は、第１コ字状枠体３２と第２コ字状枠体３４の上端近傍どうしを連結するとともに、第１軸３６周りの回動を規制する回動規制部材１８ａ，１８ｂを備える構成となっているのである。
【００３９】
なお、本実施形態の折畳式ゴミステーション用枠装置は、図１に示す様に、縦枠３２ｂ，３４ｂ側にも、回動規制部材１８ｂと同様に回動規制部材１８ａを備える。
【００４０】
次に、横棒部材２０，２４は、図１及び図２に示す様に、例えば横枠３２ａと略同じ長さを有するアルミニウム製円筒杆で形成される。そして、横棒部材２０は、図１及び図２に示す様に、自立姿勢の第１コ字状枠体３２の横枠３２ａと設置面Ｌとの中央近傍の高さ位置で、横枠３２ａと略平行に配置される。このように配置される横棒部材２０は、図１及び図２に示す様に、例えば鎖部材等の吊支部材４２ａ，４２ｂを介して、縦枠３２ｂ，３２ｃの上端近傍に揺動自在に吊支される。
同様に、横棒部材２４は、図１及び図２に示す様に、自立姿勢の第２コ字状枠体３４の横枠３４ａと設置面Ｌとの中央近傍の高さ位置で、横枠３４ａと略平行に配置される。このように配置される横棒部材２４は、図１及び図２に示す様に、例えば鎖部材等の吊支部材５７ａ，５７ｂを介して、縦枠３４ｂ，３４ｃの上端近傍に揺動自在に吊支される。
【００４１】
次に、係留部材２２ａ，２２ｂ，２６ａ，２６ｂは、図１及び図２に示す様に、例えば縦枠３２ｂ，３２ｃの略３分の１の長さを有する鎖部材でそれぞれ形成される。そして、図１及び図２に示す様に、係留部材２２ａの一端が、横棒部材２０の一端に連結され、係留部材２２ａの他端が、第２コ字状枠体３４の縦枠３４ｂの下端寄りに連結される。同様に、係留部材２２ｂの一端が、横棒部材２０の他端に連結され、係留部材２２ｂの他端が、第２コ字状枠体３４の縦枠３４ｃの下端寄りに連結される。従って、横棒部材２０は、図１及び図２に示す様に、横枠３２ａの下方で前後方向に揺動可能に配置される。
【００４２】
また、図１及び図２に示す様に、係留部材２６ａの一端が、横棒部材２４の一端に連結され、係留部材２６ａの他端が、第１コ字状枠体３２の縦枠３２ｂの下端寄りに連結される。同様に、係留部材２６ｂの一端が、横棒部材２４の他端に連結され、係留部材２６ｂの他端が、第１コ字状枠体３２の縦枠３２ｃの下端寄りに連結される。従って、横棒部材２４は、図１及び図２に示す様に、横枠３４ａの下方で前後方向に揺動可能に配置される。
【００４３】
この様に、本実施形態の折畳式ゴミステーション用枠装置１０は、自立姿勢の際に、第１コ字状枠体３２の横３２ａ枠及び／又は第２コ字状枠体３４の横枠３４ａの下方に吊支される横棒部材２０，２４と、横棒部材２０，２４が、第１コ字状枠体３２の横枠３２ａの下方に吊支される場合、横棒部材２０を第２コ字状枠体３４の縦枠３４ｂ，３４ｃに係留し、横棒部材２０，２４が、第２コ字状枠体３４の横枠３４ａの下方に吊支される場合、横棒部材２４を第１コ字状枠体３２に係留する係留部材２２ａ，２２ｂ，２６ａ，２６ｂを備える構成となっているのである。
なお、係留部材は、鎖部材に限るものではなく、例えば紐部材、ベルト部材或いはワイヤ部材で形成されてもよい。
【００４４】
この様に形成される折畳式ゴミステーション用枠装置１０の操作について説明する。
まず、折畳む際は、図２に示す様に、例えば開いた状態の第３コ字状枠体３８の横材３８ａと第１コ字状枠体３２の横枠３２ａとを、左右の手でそれぞれ握り、これらを左右方向に近づける様に操作する。そうすることで、第２枢支連結部５１ｂ，５１ｃを介して第３コ字状枠体３８に連結された第２コ字状枠体３４と、第１コ字状枠体３２とが第１軸３６周りに回動し、図３に示す様に、第１及び第２コ字状枠体３２，３４どうしが略重なるとともに、第３コ字状枠体３８の交差箇所４７ｂ，４７ｃより下側部分が、第１及び第２コ字状枠体３２，３４の交差箇所４１ｂ，４１ｃより上側部分と略重なる折畳姿勢となる。
【００４５】
その際、第１及び第２コ字状枠体３２，３４の横枠３２ａ，３４ａは、お互いに近づきつつ、設置面Ｌからやや上昇する。そうすると、第２枢支連結部５１ｂ，５１ｃを介して第２コ字状枠体３４に連結された第３コ字状枠体３８も上昇するが、第３コ字状枠体３８の下端、すなわち縦枠３８ｂ，３８ｃの下端は、図２に示す様に、連結機構１６ａ，１６ｂを介して第１コ字状枠体３２の縦枠３２ｂ，３２ｃに連結されるので、縦枠３２ｂ，３２ｃに沿って円滑に上昇する。そして、第１コ字状枠体３２の横枠３２ａが、第３コ字状枠体３８の縦枠３８ｃ，３８ｃの中央近傍に近づくにつれ、折曲連結部２３を介し、第１コ字状枠体３２の縦枠３２ｂ，３２ｃと、第３コ字状枠体３８の縦枠３８ｂ，３８ｃとが、平行状態に近づく。
【００４６】
したがって、図３に示すように、折畳姿勢では、第１コ字状枠体３２の縦枠３２ｂ，３２ｃと、第３コ字状枠体３８の縦枠３４ｂ，３４ｃとが、略平行で、しかもコ字状枠体（３２，３４，３８）を形成する円筒杆の略直径の長さで離れた状態に折畳むことができる。すなわち、本実施形態の折畳式ゴミステーション用枠装置１０によれば、折畳姿勢の折畳式ゴミステーション用枠装置１０の厚みを、コ字状枠体３２，３４，３８の直径の略３倍程度までに薄くする操作を容易に行うことができる。
【００４７】
次に、自立させる際は、折畳姿勢の第３コ字状枠体３８の横材３８ａと第１コ字状枠体３２の横枠３２ａとを、左右の手でそれぞれ握り、これらを左右に開く操作を行う。そうすることで、第１枢支連結部３７ｂ，３７ｃで連結された第２コ字状枠体３４と、第１コ字状枠体３２とが第１軸３６周りに回動し、図２に示す様に、第１及び第２コ字状枠体３２，３４が側面視略Ｘ字状となり、下端を設置面Ｌに設置させることで自立可能となる。
【００４８】
この操作に伴い、図２及び図３に示す様に、第３コ字状枠体３８の縦枠３８ｂ，３８ｃと第１コ字状枠体３２の縦枠３２ｂ，３２ｃは、平行な状態から、縦枠３８ｂ，３８ｃと、縦枠３２ｂ，３２ｃとが所定の角度Θとなるまで回動する。その際、第３コ字状枠体３８の縦枠３８ｂ，３８ｃの下端は、図２及び図３に示す様に、連結機構１６ａ，１６ｂを介して第１コ字状枠体３２の縦枠３２ｂ，３２ｃに連結されており、縦枠３８ｂ，３８ｃの中央近傍が、第２枢支連結部５１ｂ，５１ｃを介して、縦枠３４ｂ，３４ｃに連結されているので、円滑に回動させることができる。    
【００４９】
次に、本実施形態の折畳式ゴミステーション１００は、図６及び図７に示す様に、上述した折畳式ゴミステーション用枠装置１０に裾ネット５０と、背面ネット５２、開閉ネット５４を取り付けて形成される。これらのネットは、例えばカラス等の口ばしが入らない程度の大きさの網目を有する合成樹脂製のネット部材で形成される。
まず、裾ネット５０は、図２、図５〜図７に示す様に、例えば自立姿勢の第１及び第２コ字状枠体３２，３４の高さと略同じ幅で、自立姿勢の第１及び第２コ字状枠体３２，３４を囲繞可能なサイズの円筒状ネットで形成される。そして、裾ネット５０は、図６及び図７に示すように、例えば結束バンド（図示しない）を介して第１及び第２コ字状枠体３２，３４に張設される。
【００５０】
次に、背面ネット５２は、図５〜図７に示す様に、例えば上述した第３コ字状枠体３８の横材３８ａと略同じ長辺と、第３コ字状枠体３８の縦枠３８ｂ，３８ｃの略半分の短辺とを有する長方形状ネットで形成される。そして、背面ネット５２は、図６及び図７に示す様に、交差箇所４７ｂ，４７ｃから上方の第３コ字状枠体３８の部分を覆う態様で、例えば結束バンド（図示しない）を介して第３コ字状枠体３８に張設される。
【００５１】
次に、開閉ネット５４は、図５〜図７に示す様に、例えば第３コ字状枠体３８の横材３８ａの長さに縦枠３８ｂ，３８ｃの長さを加算した長辺と、略縦枠３８ｂ，３８ｃの長さの短辺とを有する長方形状ネットで形成される。
【００５２】
そして、開閉ネット５４は、図６及び図７に示す様に、自立姿勢の第１及び第２コ字状枠体３２，３４を上から覆う態様で配置され、一方の長辺５４ａ（図５参照）の中央部近傍が、結束バンド（図示しない）で、第３コ字状枠体３８の横枠３８ａに取付けられる。このように、開閉ネット５４は、図７に示す様に、その他方の長辺５４ｂが自由端となるので、この長辺５４ｂ側を手で掴んで上下させることで、自立姿勢の第１及び第２コ字状枠体３２，３４上方空間を開閉自在に覆うことができる。なお、開閉ネット５４の取付けられた長辺５４ａの両端近傍のネット部分は、それぞれ縦枠３８ｂ，３８ｃの上端部に、結束バンド（図示しない）を介して取付けられてもよい。
【００５３】
本実施形態の折畳式ゴミステーション１００によれば、図６及び図７に示す様に、自立姿勢の横枠３２ａ，３４ａで挟まれるスペースより下方の空間Ｓａに加え、第１及び第２コ字状枠体３２，３４の上方の空間Ｓｂを利用することでゴミ袋の収容空間Ｓを広く取ることができる。また、上述した様に複数のゴミ袋Ｇで収容空間Ｓが満杯となった場合でも、例えば下側のゴミ袋が外方へ押し出されることを、係留部材２２ａ，２２ｂ，２６ａ，２６ｂで第１及び／又は第２コ字状枠体に係留された横棒部材２０，２４によって防止できるので、裾ネット５０の下端からゴミ袋がはみ出し難く、鳥獣によるゴミ袋の食い荒らし防止に好適である。また、収容空間Ｓに積み上げられた複数のゴミ袋Ｇは、裾ネット５０のみならず横棒部材２０，２４によっても荷崩れし難いので、景観に優れた折畳式ゴミステーションを提供できる。
【００５４】
なお、本実施形態では、折畳式ゴミステーション用枠装置１０の背部に横棒部材２４を備えるが、折畳式ゴミステーション１００を例えば壁際に設置する場合等には、背側の横棒部材２４や係留部材２６ａ，２６ｂを備えない構成であっても良い。
【００５５】
これまで説明してきた様に、本実施形態の折畳式ゴミステーション用枠装置１０及び折畳式ゴミステーション１００によれば、ゴミ袋の収容空間Ｓを広く取ることができるとともに、収容したゴミ袋が収容空間Ｓの下端からはみ出し難いため鳥獣によるゴミ袋の食い荒らし防止に好適で、しかも取扱及び移動が容易な折畳式ゴミステーション用枠装置及びその枠装置を用いた折畳式ゴミステーションを提供できる。
【００５６】
以上、本発明の実施形態のうちいくつかを図面に基づいて詳細に説明したが、これらはあくまでも例示であり、当業者の知識に基づいて種々の変形、改良を施した他の形態で本発明を実施することが可能である。
【符号の説明】
【００５７】
１０  折畳式ゴミステーション用枠装置
１６ａ，１６ｂ  連結機構
１８ａ，１８ｂ  回動規制部材
２０，２４  横棒部材
２２ａ，２２ｂ，２６ａ，２６ｂ  係留部材
２３  折曲連結部
３２  第１コ字状枠体
３４  第２コ字状枠体
３６  第１軸
３８  第３コ字状枠体
３２ａ，３４ａ，３８ａ  横枠
３２ｂ，３２ｃ，３４ｂ，３４ｃ，３８ｂ，３８ｃ  縦枠
３７ｂ，３７ｃ  第１枢支連結部
３９  第２軸
４０  移動部材
４６  連結軸部材
４９  第３軸
５１ｂ，５１ｃ  第２枢支連結部
５６  筒状部材
５０  裾ネット
５２  背面ネット
５４  開閉ネット
１００  折畳式ゴミステーション
【図１】
2017186157.tif 000003
【図２】
2017186157.tif 000004
【図３】
2017186157.tif 000005
【図４】
2017186157.tif 000006
【図５】
2017186157.tif 000007
【図６】
2017186157.tif 000008
【図７】
2017186157.tif 000009